(57)【特許請求の範囲】
【請求項１】
２本の芯線を対撚りしてなるツイストペアケーブルと、
前記ツイストペアケーブルの周囲に該ツイストペアケーブルと接するように形成された断面円形状の介在と、
前記介在の周囲に該介在と接するように縦添えされたシールドテープと、
を備えており、
前記芯線は、導体と、前記導体の周囲に前記介在と接するように形成された、テトラフルオロエチレン−ヘキサフルオロプロピレン共重合体樹脂、テトラフルオロエチレン−パーフルオロアルキルビニルエーテル共重合体樹脂、又はポリテトラフルオロエチレン樹脂の何れか一種からなる絶縁体と、を有しており、
前記介在は、ポリプロピレン樹脂、発泡ポリエチレン樹脂、又は発泡ポリプロピレン樹脂の何れか一種からなり、応力が印加されたときに断面円形状であることによって前記シールドテープとの間に空隙が形成されない
ことを特徴とする低電圧差動信号伝送用ケーブル。
【発明の詳細な説明】
【技術分野】
【０００１】
本発明は、低電圧差動信号方式（Low Voltage Differential Signaling；ＬＶＤＳ）を利用して高周波信号を伝送する低電圧差動信号伝送用ケーブルに関する。
【背景技術】
【０００２】
従来より、ハイディフィニションマルチメディアインタフェース（High-Definition Multimedia Interface；ＨＤＭＩ（登録商標））やユニバーサルシリアルバス（Universal Serial Bus；ＵＳＢ）等の短距離用デジタル有線信号伝送においては、低電圧差動信号方式を利用して高周波信号を伝送する低電圧差動信号伝送用ケーブルが使用されている。従来の低電圧差動信号伝送用ケーブルは、例えば、２本の導体を平行に配置すると共にその周囲に絶縁体を断面楕円形状に被覆して形成されるツイナックスケーブルと、ツイナックスケーブルの周囲に重ね巻きされるか縦添えされるシールドテープと、を備えている（例えば、特許文献１を参照）。
【先行技術文献】
【特許文献】
【０００３】
【特許文献１】特開２０１２−１６９２５１号公報
【発明の概要】
【発明が解決しようとする課題】
【０００４】
シールドテープを重ね巻きする場合は、低電圧差動信号伝送用ケーブルの屈曲、捻回、又はＵ字摺動等の可動時においても、シールドテープのズレや変形が発生し難いため、電気特性の変動を抑制することができるものの、シールドテープが重なる部分でシールドテープを構成する絶縁層と導電層とが交互に配置される周期構造を採るため、例えば、１５ＧＨｚ以上の高周波信号を伝送する際に信号伝送特性が急激に落ち込む現象（サックアウト）が発生するという課題がある。
【０００５】
シールドテープを縦添えする場合は、原理的にサックアウトは発生し難いものの、従来の低電圧差動信号伝送用ケーブルにおいては、絶縁体を断面楕円形状に被覆しているため、低電圧差動信号伝送用ケーブルの屈曲、捻回、又はＵ字摺動等の可動時、特に、低電圧差動信号伝送用ケーブルを偏平方向に屈曲させる時に、屈曲内側の絶縁体が窪んで絶縁体とシールドテープとの間に空隙が形成されてシールドテープが皺になる現象（テープ折れ）が発生し易く、シールドテープのズレや変形に起因する電気特性の変動が発生し易いという課題がある。
【０００６】
そこで、本発明の目的は、サックアウトが発生し難く、しかも電気特性の変動をも抑制することが可能な低電圧差動信号伝送用ケーブルを提供することにある。
【課題を解決するための手段】
【０００７】
本発明は、２本の芯線を対撚りしてなるツイストペアケーブルと、前記ツイストペアケーブルの周囲に該ツイストペアケーブルと接するように形成された断面円形状の介在と、  前記介在の周囲に該介在と接するように縦添えされたシールドテープと、を備えており、前記芯線は、導体と、前記導体の周囲に前記介在と接するように形成された、テトラフルオロエチレン−ヘキサフルオロプロピレン共重合体樹脂、テトラフルオロエチレン−パーフルオロアルキルビニルエーテル共重合体樹脂、又はポリテトラフルオロエチレン樹脂の何れか一種からなる絶縁体と、を有しており、前記介在は、ポリプロピレン樹脂、発泡ポリエチレン樹脂、又は発泡ポリプロピレン樹脂の何れか一種からなり、応力が印加されたときに断面円形状であることによって前記シールドテープとの間に空隙が形成されない低電圧差動信号伝送用ケーブルである。
【０００８】
前記芯線は、導体と、前記導体の周囲に形成された絶縁体と、を有しており、前記絶縁体は、テトラフルオロエチレン−ヘキサフルオロプロピレン共重合体樹脂、テトラフルオロエチレン−パーフルオロアルキルビニルエーテル共重合体樹脂、又はポリテトラフルオロエチレン樹脂の何れか一種からなることが望ましい。
【図面の簡単な説明】
【００１０】
【図１】本発明に係る低電圧差動信号伝送用ケーブルを示す断面図である。
【発明を実施するための形態】
【００１１】
以下、本発明の実施の形態を添付図面に順って説明する。
【００１２】
図１に示す通り、本発明の実施の形態に係る低電圧差動信号伝送用ケーブル１００は、２本の芯線１０１を対撚りして形成されるツイストペアケーブル１０２と、ツイストペアケーブル１０２の周囲に形成される介在１０３と、介在１０３の周囲に縦添えされるシールドテープ１０４と、を備えている。
【００１３】
芯線１０１は、導電率が高い銅や銅合金等からなる導体１０５と、導体１０５の周囲に形成される絶縁体１０６と、を有する、所謂、絶縁電線からなる。
【００１４】
このうち、絶縁体１０６は、テトラフルオロエチレン−ヘキサフルオロプロピレン共重合体（ＦＥＰ）樹脂、テトラフルオロエチレン−パーフルオロアルキルビニルエーテル共重合体（ＰＦＡ）樹脂、又はポリテトラフルオロエチレン（ＰＴＦＥ）樹脂の何れか一種からなることが望ましい。
【００１５】
これにより、絶縁体１０６の誘電率や誘電正接を低下させて対内伝搬遅延時間を短縮すると共に伝搬速度の上昇に伴う誘電損失の増加を抑制することができるため、高周波信号を高速で伝送することが可能となる。
【００１６】
介在１０３は、低電圧差動信号伝送用ケーブル１００の屈曲、捻回、又はＵ字摺動等の可動時においても、介在１０３が変形して介在１０３とシールドテープ１０４との間に空隙が形成されることが無いよう断面円形状に形成されている。
【００１７】
これにより、テープ折れの発生を抑制することができるため、シールドテープのズレや変形に起因する電気特性の変動を抑制することが可能となる。
【００１８】
また、介在１０３は、ポリエチレン（ＰＥ）樹脂、ポリプロピレン（ＰＰ）樹脂、発泡ポリエチレン樹脂、又は発泡ポリプロピレン樹脂の何れか一種からなることが望ましい。
【００１９】
これにより、介在１０３の誘電率や誘電正接を低下させて対内伝搬遅延時間を短縮すると共に伝搬速度の上昇に伴う誘電損失の増加を抑制することができるため、高周波信号を高速で伝送することが可能となる。
【００２０】
なお、介在１０３を余りにも発泡度が高い発泡ポリエチレン樹脂や発泡ポリプロピレン樹脂で形成すると、低電圧差動信号伝送用ケーブル１００の屈曲、捻回、又はＵ字摺動等の可動時に、介在１０３に含まれる気泡が潰れて介在１０３が大きく変形し易くなり、低電圧差動信号伝送用ケーブル１００の信号伝送特性が劣化する虞があるため、誘電率や誘電正接を低下させることを目的として発泡度を際限なく上昇させるべきではない。
【００２１】
シールドテープ１０４は、基材としての絶縁層１０７と、絶縁層１０７の片面又は両面に形成される導電層１０８と、を有している。このとき、導電層１０８は、絶縁層１０７の表面に形成されていても裏面に形成されていても構わない。絶縁層１０７は、機械的強度が高いポリエチレンテレフタレート（ＰＥＴ）樹脂からなり、導電層１０８は、導電率が高い銅箔やアルミニウム箔からなる。
【００２２】
低電圧差動信号伝送用ケーブル１００においては、シールドテープ１０４が介在１０３の周囲に縦添えされており、シールドテープ１０４が重なる部分が存在せず、シールドテープ１０４を構成する絶縁層１０７と導電層１０８とが交互に配置される周期構造を採ることは無いため、原理的にサックアウトが発生し難い。
【００２３】
更に、低電圧差動信号伝送用ケーブル１００においては、介在１０３が断面円形状に形成されており、低電圧差動信号伝送用ケーブル１００の屈曲、捻回、又はＵ字摺動等の可動時においても、介在１０３が変形して介在１０３とシールドテープ１０４との間に空隙が形成されることが無いため、シールドテープのズレや変形に起因する電気特性の変動を抑制することが可能となる。
【００２４】
なお、介在１０３が断面円形状に形成されていることにより、低電圧差動信号伝送用ケーブル１００の屈曲、捻回、又はＵ字摺動等の可動時に、低電圧差動信号伝送用ケーブル１００に印加される応力を効果的に分散させる効果も得られるため、屈曲、捻回、又はＵ字摺動等の可動に適した低電圧差動信号伝送用ケーブル１００を得ることができる。
【００２５】
また、低電圧差動信号伝送用ケーブル１００においては、シールドテープ１０４を外傷から保護するため、シールドテープ１０４の周囲にシース１０９を設けても構わない。
【００２６】
更に、低電圧差動信号伝送用ケーブル１００においては、シールドテープ１０４を縦添えしているため、編組シールドを採用する場合よりも端末加工が容易であり、端末加工時の作業負担を軽減することが可能となる。
【００２７】
以上の通り、本発明によれば、サックアウトが発生し難く、しかも電気特性の変動をも抑制することが可能な低電圧差動信号伝送用ケーブル１００を提供することができる。
【００２８】
なお、低電圧差動信号伝送用ケーブル１００は、単体で使用しても良いし、複数本を集合させて集合ケーブルとして使用しても構わない。
【符号の説明】
【００２９】
１００  低電圧差動信号伝送用ケーブル
１０１  芯線
１０２  ツイストペアケーブル
１０３  介在
１０４  シールドテープ
１０５  導体
１０６  絶縁体
１０７  絶縁層
１０８  導電層
１０９  シース
【図１】
0006707885.tif 000002